(57)【要約】  【課題】  ゴミ受けカゴ本体の上部に取り外し可能に設けられ、ヌメリ除去作用および／または殺菌作用を有する薬剤、あるいは、生ゴミや下水からの異臭を消す消臭作用を有する薬剤を収容する複数の収容部を有する割りリング体を備えたゴミ受けカゴを提供すること。  【解決手段】  流しの排水口内に設置されるゴミ受けカゴ１において、ゴミ受けカゴ本体２と、このゴミ受けカゴ本体１の上部に取り外し可能に設けた割りリング体３とよりなり、更に、この割りリング体３は、ヌメリ除去作用および／または殺菌作用を有する薬剤、あるいは、生ゴミや下水からの異臭を消す消臭作用を有する薬剤１２を収容する複数の収容部Ｅを備えるととともに、前記各収容部Ｅは、当該収容部Ｅ内に流入する排水の流入孔１７と当該収容部Ｅ内から流出する溶解液の流出孔１８を有するとともに、前記各収容部Ｅは、流入孔１７から当該収容部Ｅに流入し溜まった排水によって予め前記薬剤１２の一部を溶解させるよう構成されていることを特徴としている。  【選択図】  図１
2005042441.tif 000002
【特許請求の範囲】
【請求項１】
流しの排水口内に設置されるゴミ受けカゴにおいて、ゴミ受けカゴ本体と、このゴミ受けカゴ本体の上部に取り外し可能に設けた割りリング体とよりなり、更に、この割りリング体は、ヌメリ除去作用および／または殺菌作用を有する薬剤、あるいは、生ゴミや下水からの異臭を消す消臭作用を有する薬剤を収容する複数の収容部を備えるととともに、前記各収容部は、当該収容部内に流入する排水の流入孔と当該収容部内から流出する溶解液の流出孔を有するとともに、前記各収容部は、流入孔から当該収容部に流入し溜まった排水によって予め前記薬剤の一部を溶解させるよう構成されていることを特徴とするゴミ受けカゴ。
【請求項２】
前記割りリング体は、ゴミ受けカゴ本体の上部に取り付けられるとき、および、ゴミ受けカゴ本体の上部から取り外されるときにおいては縮径可能で、かつ、ゴミ受けカゴ本体の上部に取り付け後は拡径可能となるように構成されている請求項１に記載のゴミ受けカゴ。  
【請求項３】
前記ゴミ受けカゴ本体は、有底筒状で、外向きフランジを有する上方開口部と、この上方開口部から下方に連設され多数の小孔が形成されたメッシュ状の胴部と、多数の小孔が形成されたメッシュ状の底部とを有し、また、前記上方開口部内に回動自在に収容される半円形の把手を設ける一方、前記割りリング体は、前記胴部の上部に位置する複数の前記小孔に係止可能な複数の係止突片を外周面に有する請求項１または請求項２に記載のゴミ受けカゴ。
【請求項４】
前記ゴミ受けカゴ本体は、有底筒状で、外向きフランジを有する上方開口部と、この上方開口部から下方に連設され多数の小孔が形成されたメッシュ状の胴部と、多数の小孔が形成されたメッシュ状の底部とを有する一方、前記割りリング体は、前記ゴミ受けカゴ本体内に溜まったゴミを捨てるために前記ゴミ受けカゴ本体を前記排水口から取り出すときの把手として機能するよう、上方開口部内に回動自在に収容されている請求項１または請求項２に記載のゴミ受けカゴ。  
【発明の詳細な説明】
【技術分野】
【０００１】
この発明は、流しの排水口内に設置されるゴミ受けカゴに関するものである。
【背景技術】
【０００２】
【特許文献１】特開２００３−０２７５５０号公報
【０００３】
本出願人は、流しの排水によって溶解されたヌメリ除去作用を有する薬剤の溶解液が、流しの排水口内に設置されるゴミ受けカゴの上部に設けられる菊割れフタの底部に至り、この底部上に排水の一部が滞留して菊割れフタのヌメリを除去できるとともに、菊割れフタの排水用長孔を経てゴミ受けカゴに至ることでゴミ受けカゴのヌメリも除去できるヌメリ除去部材を提案している（特許文献１参照）。
【０００４】
そして、それは、菊割れフタに対し着脱自在に設置できる割りリング体の撓み変形を利用することによって底部の径が異なるタイプの菊割れフタにも適用できるものである。また、前記割りリング体には、ヌメリ除去作用を有する薬剤以外に、殺菌作用を有する薬剤、あるいは、生ゴミや下水からの異臭を消す消臭作用を有する薬剤が収容可能である。
【発明の開示】
【発明が解決しようとする課題】
【０００５】
しかし、前記割りリング体は菊割れフタに設置されるものであり、ゴミ受けカゴに付着した例えばヌメリを除去する目的で直接ゴミ受けカゴに設置可能な専用の割りリング体はなかった。
【０００６】
この発明は、上述の事柄に留意してなされたもので、その目的は、ゴミ受けカゴ本体の上部に取り外し可能に設けられ、ヌメリ除去作用および／または殺菌作用を有する薬剤、あるいは、生ゴミや下水からの異臭を消す消臭作用を有する薬剤を収容する複数の収容部を有する割りリング体を備えたゴミ受けカゴを提供することである。
【課題を解決するための手段】
【０００７】
上記目的を達成するために、この発明のゴミ受けカゴは、流しの排水口内に設置されるゴミ受けカゴにおいて、ゴミ受けカゴ本体と、このゴミ受けカゴ本体の上部に取り外し可能に設けた割りリング体とよりなり、更に、この割りリング体は、ヌメリ除去作用および／または殺菌作用を有する薬剤、あるいは、生ゴミや下水からの異臭を消す消臭作用を有する薬剤を収容する複数の収容部を備えるととともに、前記各収容部は、当該収容部内に流入する排水の流入孔と当該収容部内から流出する溶解液の流出孔を有するとともに、前記各収容部は、流入孔から当該収容部に流入し溜まった排水によって予め前記薬剤の一部を溶解させるよう構成されていることを特徴としている。
【発明の効果】
【０００８】
この発明では、ゴミ受けカゴ本体の上部に、ヌメリ除去作用および／または殺菌作用を有する薬剤、あるいは、生ゴミや下水からの異臭を消す消臭作用を有する薬剤を収容するとともに、排水の流入孔と溶解液の流出孔が形成された複数の収容部を有する割りリング体を取り外し可能に設け、前記各収容部を、当該収容部に流入し溜まった排水によって予め前記薬剤の一部を溶解させるよう構成している。そのため、一旦排水が無くなった状態では、先に収容部内に流入し溜まった排水によって前記薬剤の一部は溶解しており、かつ、収容部内には排水が溜まっているので、前記薬剤の溶解液は飽和液になり易く、前記薬剤の溶解が安定する。この状態で排水があると、飽和溶解液を薄める形で、かつ、飽和溶解液に混じって溶解液が流出孔から流出する。よって、ゴミ受けカゴに付着しているヌメリの除去および／またはゴミ受けカゴの殺菌、あるいは、ゴミ受けカゴに溜まっている生ゴミや下水からの異臭の除去を効果的に行える。
【発明を実施するための最良の形態】
【０００９】
以下、この発明の実施形態を、図を参照しながら説明する。なお、それによってこの発明は限定されるものではない。
【００１０】
図１〜図５は、ヌメリ除去作用および／または殺菌作用を有する薬剤、あるいは、生ゴミや下水からの異臭を消す消臭作用を有する薬剤を収容する複数の収容部が設けられた割りリング体を、ゴミ受けカゴ本体の上部に取り外し可能に設けたこの発明の一実施形態を示す。
【００１１】
図１〜図５において、１は、例えば樹脂製のゴミ受けカゴで、ゴミ受けカゴ本体２と、このゴミ受けカゴ本体２の上部に取り外し可能に設けた割りリング体３とよりなる。前記ゴミ受けカゴ本体２は、有底筒状で、外向きフランジ４を有する上方開口部５と、この上方開口部５から下方に連設され多数の小孔６が形成されたメッシュ状の胴部７と、多数の小孔８が形成されたメッシュ状の底部９とを有し、また、前記上方開口部５内には、回動自在に収容される半円形の把手１０が設けられている。５ａは、前記外向きフランジ４から下方に垂直に連設され胴部７の最上端に形成される複数の小孔６に至る環状部である。  
【００１２】
前記割りリング体３は、胴部７の上部に形成した複数の小孔６、とりわけ、胴部７の最上端に形成した複数の小孔６を介して胴部７に取り付けられるのが好ましい。割りリング体３は、樹脂成形された可撓性の割りリング部１１と、ヌメリ除去作用および／または殺菌作用を有する薬剤、あるいは、生ゴミや下水からの異臭を消す消臭作用を有する複数の粒状の薬剤１２とからなる。この発明で用いる前記薬剤１２の形状は、図５に示すように略円板状であったり、図６に示すように円板状のものが好ましい。球形あるいは略球形の薬剤を用いるよりも前記形状の薬剤１２を用いるの方が成形等の理由で安価である。そして、前記割りリング部１１には、前記薬剤１２を収容する複数の収容部Ｅが備えられている。各収容部Ｅは、当該収容部Ｅ内に流入する排水の流入孔１７と当該収容部Ｅ内から流出する溶解液の流出孔１８を有するとともに、前記各収容部Ｅは、流入孔１７から当該収容部Ｅに流入し溜まった排水によって予め前記薬剤１２の一部を溶解させるよう構成されている。
【００１３】
前記割りリング部１１は、薄肉の上リング部材１３と薄肉の下リング部材１４を接合することにより形成されている。１５は、その接合面を示している。前記下リング部材１４は、胴部７の上部分に形成された多数の小孔６、好ましくは、胴部７の最上端に形成した複数の小孔６に係止する複数の係止突片１５を円周方向に適宜間隔をおいて外周面Ｍから突出状態で有する。この係止片１５は、外周面Ｍから径方向外側に適宜長さを有して放射状に突出している。割りリング部１１は切欠部分Ｋを有する。６０，６０は、切欠部分Ｋを介して割りリング部１１の両端に対向配置されている一対のつまみである。そして、割りリング部１１がゴミ受けカゴ本体２の上部に取り付けられるときは、小孔６の内側から係止突片１５が嵌込まれるよう、また、割りリング部１１がゴミ受けカゴ本体２の上部から取り外されるときは、小孔６に嵌込まれているの係止突片１５が前記小孔６から内側に外れるよう、縮径可能に構成されており、かつ、割りリング部１１をゴミ受けカゴ本体２の上部に取り付けた後は係止突片１５が小孔６から内側に外れないよう拡径可能となるように構成されている。縮径のときは、前記つまみ６０，６０に指を当ててつまみ６０，６０同士を近づける方向に指に力を入れることで割りリング部１１を縮径できる。そして、胴部７の上部分に形成された多数の小孔６に割りリング部１１の係止突片１５が嵌まり込むことで胴部７内の所定高さの位置、好ましくは、胴部７の最上端に水平状態を保ちながら割りリング部１１を弾性的に嵌合保持させることができる。なお、４９は、胴部７の内周面に上下方向に設けた複数の正面視細長の矩形形状の縦リブで、強度的に弱いメッシュ状の前記胴部７を補強するために胴部７の上端から下端に至る領域に設けてある。この実施形態では、９０°の円周角を有して内周面に四つの縦リブ４９が配置されている。そして、割りリング部１１を水平状態に倒したときに縦リブ４９の上面５０に割りリング部１１が当接するように構成されている。
【００１４】
また、下リング部材１４は、外側上面に凹所１６を有する。この凹所１６とこれの直上に位置する上リング部材１３の外側下面部分１９とで前記溶解液流出孔１８を構成する。各収容部Ｅは、袋状で、一個の薬剤１２が収容可能な空間Ｓを有する大きさに形成されて係止突片１５，１５間に位置している。収容部Ｅは、当該収容部Ｅに流入し溜まった排水によって予め薬剤１２の一部を溶解させる。すなわち、下リング部材１４は、薬剤１２を載置するとともに収容するトレイ２０を有する。このトレイ２０は、割りリング部１１の中心側からみてほぼＵ字形で、一個の薬剤１２を載置するとともに収容可能な凹み部２２を有する。一方、上リング部材は、前記トレイ２０を上方から覆うトレイカバー体２１を有する。そして、前記収容部Ｅは、前記トレイ２０とトレイカバー体２１よりなり、トレイカバー体２１は、内側側面に複数の縦方向に長いスリット状の前記排水流入孔１７を有する。前記凹み部２２は、一個の薬剤１２を横置きに載置するのではなく、図５、図６に示すように、薬剤１２の周面１２ａを平坦な薬剤載置面Ｇに当接させる縦置き状態で薬剤１２を載置できる程度の幅Ｃを有する。なお、トレイカバー体２１は凹み部２２の幅Ｃと同一の幅を持つ凸部２２ａを有する。そして、排水に溶かしていない新しい一個の薬剤１２を凹み部２２に収容した状態において凹み部２２内で転がったの傾いたりしないように、図５に示した薬剤１２は、薬剤１２を平坦な載置面Ｇに安定的に載置できるよう周面１２ａにカット面３５を有する。更に、図５に示した薬剤１２は、カット面３５から薬剤１２の中心Ｏ’を通る垂直溝３６を一方面Ｒに有する。この実施形態では、排水流入孔１７と載置面Ｇ間の高さ方向における長さが薬剤１２の下からほぼ三分の一の長さに相当するよう構成されており、凹み部２２内に流入し薬剤１２の下からほぼ三分の一まで溜まった排水が毛細管現象で垂直溝３６を介して薬剤１２の上部まで浸透していき、垂直溝３６が無い場合に比して排水との接触面積が増加することで薬剤１２をより溶解し易くできる。そのため、濃い濃度の溶解液を常時確保できる利点を有する。また、図６に示した薬剤１２には、薬剤１２への排水の浸透効果を上げるために、半径Ｖの薬剤１２の周面１２ａに深さｄの環状深溝３８を全周にわたって設けている。この場合、図５に示した薬剤１２のようにカット面３５は設けられておらず、縦置き状態で転がったり回転しても凹み部２２内に流入し薬剤１２の下からほぼ三分の一まで溜まった排水が毛細管現象で環状深溝３８を介して薬剤１２の上部および内部まで浸透していく。
前記収容部Ｅは、排水の流入孔１７を内側面下部に有するとともに、排水流入孔１７から収容部Ｅ内に流入し溜まった排水によって収容部Ｅ内の薬剤１２の一部を溶解してなる溶解液の流出孔１８を排水流入孔１７の高さ位置よりも高い外側面上部に有する。なお、排水流入孔１７の直上流側に設けられて排水を通過させるとともに、排水に混じって収容部Ｅに流れてくるゴミによる排水流入孔１７の目詰まりを防止する複数のスリットを収容部Ｅに形成するのが好ましい。
【００１５】
而して、流しの排水は、菊割れフタの底部に形成されている排水用長孔を経てゴミ受けカゴ１に至り、割りリング体３の排水流入孔１７に流入して凹み部２２内に縦置き状態で位置している薬剤１２の一部を溶解させるとともに、排水流入孔１７に流入する排水の勢いにて、割りリング部１１の外方向で、排水流入孔１７よりも高い位置にある溶解液流出孔１８から溶解液が、ゴミ受けカゴ本体２の上方開口部５の環状部５ａと胴部７の最上端から胴部７に沿って下降するとともに、排水の一部が底部９に滞留する。そのため、ゴミ受けカゴ１に付着している生ゴミ、あるいは、下水からの異臭を消すことができたり、ゴミ受けカゴ１の殺菌を行ったり、ゴミ受けカゴ１に付着しているヌメリを除去できる。
【００１６】
そして、一旦排水が無くなった状態では、すなわち、凹み部２２内に排水が流入しなくかった状態では、先に凹み部２２内に流入し溜まった排水によって薬剤１２の一部は溶解しており、しかも、凹み部２２内に排水が溜まっているので、溶解液は飽和液になり易くなる。つまり、薬剤１２の溶解が安定する。この状態で排水があると、飽和溶解液を薄める形で、かつ、飽和溶解液に混じって溶解液が溶解液流出孔１８から流出する。よって、ゴミ受けカゴ１に付着している生ゴミ、あるいは、下水からの異臭を効果的に消すことができたり、ゴミ受けカゴ１の殺菌を効果的に行えたり、ゴミ受けカゴ１に付着しているヌメリを効果的に除去できる。
【００１７】
図７、図８は、ゴミ受けカゴ本体の把手を割りリング体に兼用させたこの発明の他の実施形態を示す。図７、図８において、図１〜図６に示した符号と同一のものは同一または相当物である。
【００１８】
図７、図８において、４０は、ゴミ受けカゴ本体２の把手を兼ねている割りリング体である。この割りリング体４０は、樹脂成形された可撓性の割りリング部１１と、ヌメリ除去作用および／または殺菌作用を有する薬剤、あるいは、生ゴミや下水からの異臭を消す消臭作用を有する複数の粒状の薬剤１２とからなる。前記割りリング部１１には、前記薬剤１２を収容する複数の収容部Ｅが備えられている。各収容部Ｅは、当該収容部Ｅ内に流入する排水の流入孔１７と当該収容部Ｅ内から流出する溶解液の流出孔１８を有するとともに、前記各収容部Ｅは、流入孔１７から当該収容部Ｅに流入し溜まった排水によって予め前記薬剤１２の一部を溶解させるよう構成されている。割りリング部１１は、薄肉の上リング部材１３と薄肉の下リング部材１４を接合することにより形成されている。１５は、その接合面を示している。ゴミ受けカゴ本体２は、有底筒状で、外向きフランジ４を有する上方開口部５と、この上方開口部５から下方に連設され多数の小孔６が形成されたメッシュ状の胴部７と、多数の小孔８が形成されたメッシュ状の底部９とを有する。５ａは、前記外向きフランジ４から下方に垂直に連設され胴部７の最上端に形成される複数の小孔６に至る環状部である。一方、前記割りリング体４０は、前記ゴミ受けカゴ本体２内に溜まったゴミを捨てるために前記ゴミ受けカゴ本体２を流しの排水口から取り出すときの把手として機能するよう、上方開口部５内に回動自在に収容されている。４１，４２は、上リング部材１３の対称位置で径方向外向きに形成された左右一対のヒンジである。ヒンジ４１および４２は、環状部５ａの対応する位置に形成された取り付け孔４１ａおよび４２ａにそれぞれ枢支されている。
【００１９】
そして、割りリング部１１は切欠部分Ｋを有し、割りリング部１１がゴミ受けカゴ本体２の上部に取り付けられるときは、取り付け孔４１ａおよび４２ａの内側から取り付け孔４１ａおよび４２ａ内にそれぞれヒンジ４１および４２が挿通されるよう、また、割りリング部１１がゴミ受けカゴ本体２の上部から取り外されるときは、取り付け孔４１ａおよび４２ａ内に挿通されているヒンジ４１および４２がそれぞれ取り付け孔４１ａおよび４２ａ内から内側に外れるよう、縮径可能に構成されており、かつ、割りリング部１１をゴミ受けカゴ本体２の上部に取り付けた後はヒンジ４１および４２ががそれぞれ取り付け孔４１ａおよび４２ａ内から内側に外れないよう拡径可能となるように構成されている。そして、取り付け孔４１ａおよび４２ａに割りリング部１１のヒンジ４１および４２がそれぞれ嵌まり込むことで胴部７より上方に位置する上方開口部５に水平状態を保ちながら割りリング部１１を弾性的に嵌合保持させることができるとともに、前記割りリング体４０をゴミ受けカゴ本体２の把手としても機能させることができる。そして、割りリング部１１を水平状態に倒したときには縦リブ４９の上面５０に割りリング部１１が当接する。
【図面の簡単な説明】
【００２０】
【図１】この発明の一実施形態における取り付け状態を示す構成説明図である。
【図２】上記実施形態における取り付け状態を示す要部構成説明図である。
【図３】上記実施形態で用いた割りリング体を示す平面図である。
【図４】上記実施形態で用いた割りリング体を示す底面図である。
【図５】上記実施形態で用いる薬剤を示す斜視図である。
【図６】上記実施形態で用いる薬剤の変形例を示す図である。
【図７】この発明の他の実施形態を示す構成説明図である。
【図８】上記他の実施形態で用いる割りリング体を把手として機能させるときの状態を示す構成説明図である。
【符号の説明】
【００２１】
１  ゴミ受けカゴ
２  ゴミ受けカゴ本体
３  割りリング体
１２  薬剤
１７  排水流入孔
１８  溶解液流出孔
Ｅ  収容部  
【図１】
2005042441.tif 000003
【図２】
2005042441.tif 000004
【図３】
2005042441.tif 000005
【図４】
2005042441.tif 000006
【図５】
2005042441.tif 000007
【図６】
2005042441.tif 000008
【図７】
2005042441.tif 000009
【図８】
2005042441.tif 000010